(57)【要約】      （修正有）【課題】作業現場での配管の支持固定作業を簡単且つ容易にする床スリーブユニットを提供する。【解決手段】床スリーブユニット１は、デッキプレート１１に形成した複数のスリーブ配置穴１１ａに床スリーブ１０を起立状態で固定している。デッキプレート１１に固定した床スリーブ１０は、円筒上のスリーブ本体１０の上部に配管固定機構１５を一体に設ける。配管固定機構１５は、取付台１６、配管固定部材１８及びＵボルト２０で構成する。取付台１６は、配管を挿通する円筒状のスリーブ本体１２の上部円筒端の外側に片持ち状態で固定する。配管固定部材１８は、取付台１６に着脱自在に設けられた断面Ｌ字形の部材である。Ｕボルト２０は、配管固定部材１８にＵ字端部のネジ部を挿通し、ネジ部に対するナットの螺合により配管を配管固定部材１８に締め付け固定し、配管の中心軸線をスリーブ本体１２の中心軸線に略一致するように支持固定する。【選択図】図１
0003186346.tif 000002
【実用新案登録請求の範囲】
【請求項１】
デッキプレートに形成した複数のスリーブ配置穴に床スリーブを起立状態で固定した床スリーブユニットに於いて、
前記複数の床スリーブの各々は、
配管を挿通する円筒状のスリーブ本体と、
前記スリーブ本体の上部に一体に設けられ、前記スリーブ本体を高さ方向に挿通する配管を支持固定する配管固定機構と、
を設けたことを特徴とする床スリーブユニット。
【請求項２】
請求項１記載の床スリーブユニットに於いて、前記床スリーブの配管固定機構は、
前記スリーブ本体の上部円筒端の外側に片持ち状態で固定され、一対のボルト通し穴を形成した取付台と、
前記取付台に着脱自在に取付固定され、高さ方向に位置して前記配管を支持する配管支持片と横方向に位置して前記取付台に載せる載置片を備え、前記配管支持片及び前記載置片の各々に一対のボルト通し穴を形成した断面Ｌ字形の配管固定部材と、
前記配管固定部材における前記配管支持片のボルト通し穴にＵ字端部のネジ部を挿通し、当該ネジ部に対するナットの螺合により前記配管を前記配管固定部材に締め付け固定するＵボルトと、
を備えたことを特徴とする床スリーブユニット。
【請求項３】
請求項２記載の床スリーブユニットに於いて、
前記配管固定部材おける載置片のボルト通し穴及び前記取付台のボルト通し穴を、それぞれ前記スリーブ本体に向う方向に長い長穴とし、
前記配管固定部材の長穴と前記取付台の長穴を位置合せして挿通したボルトにナットを螺合し、前記スリーブ本体を挿通する前記配管の中心を前記スリーブ本体の中心に略一致するように、前記長穴の範囲で前記配管固定部材を位置調整する構造としたことを特徴とする床スリーブユニット。
【考案の詳細な説明】
【技術分野】
【０００１】
本考案は、デッキプレートに複数の床スリーブを起立状態で固定した床スリーブユニットに関する。
【背景技術】
【０００２】
従来、ビルやマンション等の建築構造物に設置される水回りの配管設備にあっては、鉄筋構造物に対し床を構築する仮枠を設置して鉄筋を配筋し、仮枠の所定位置に必要な数の床スリーブを固定し、この状態でコンクリートを打設し、コンクリートが固まった後に、床スリーブに配管を通し、床スリーブの床面開口部にアングル材を使用した配管固定部を現場作業により設けて配管を支持固定している。
【０００３】
しかし、仮枠に複数の床スリーブを設置する場合、現場作業として床スリーブの配置位置を墨出しする作業が必要であり、手間と時間がかかることから、図１１に示す床スリーブユニットを用いるようにしている。
【０００４】
図１１（Ａ）はスリーブユニットの組立前の分解状態を示しており、工場設備を利用し、建物の水周りとなる床スリーブの配置スペースに対応した所定サイズの鋼板を用いたデッキプレート１０２を準備し、デッキプレート１０２の所定位置に必要とする数のスリーブ配置穴１０２ａを加工し、ここに図１１（Ｂ）に示すように、床スリーブ１０２を起立状態で配置して溶接などにより固定し、床スリーブユニット１００を製作する。
【０００５】
図１２乃至図１４は従来の床スリーブユニットの設置工事を示している。まず図１２に示すように、例えば隣接する上下階の床工事を例にとると、鉄筋構造物（図示せず）に対し仮枠１０３を設置し、水回りとなる所定の位置の仮枠１０３に床スリーブユニット１００を配置し、デックプレート１０２を釘など固定し、更に鉄筋１０２を配筋し、床スリーブ１０１を結束線などで鉄筋１０４に固定する。
【０００６】
この状態でコンクリートを打設することで、図１３に示すように、床スリーブユニット１００に配置して複数の床スリーブ１０１による貫通穴を持つコンクリート床１０５を構築する。次に、図１４に示すように、コンクリート床１０５における床面の床スリーブ１０１が開口した位置に、アングル材を利用して配管固定部１０８を現場作業で設置する。更に、図１５に示すように、床スリーブ１０１を高さ方向に挿通する配管を、配管固定部１０８により固定支持し、床スリーブ１０１と配管１０６の間の隙間に不燃材やシール材を充填して隙間を塞ぐようにしている。
【０００７】
図１５は従来の配管固定部を拡大して示しており、図１５（Ａ）は側面を示し、図１５（Ｂ）は平面を示す。図１５に示すように、配管固定部１０８は、断面コ字型のアングル材を取付台１１０として床スリーブ１０１の開口を挟んで両側２箇所にアンカーボルト等で固定し、続いて、ナット１１６を螺合したＵボルト１１４を設けた断面Ｌ字型のアングル材を配管固定部材１１２として取付台１１０の上に載せて溶接等で固定し、Ｕボルト１１４により配管１０６を配管固定部材１１２に押し当てた状態でナット１１６の螺合により締め付け固定し、配管１０６の中心が床スリーブ１００の略中心を通るように位置決め固定している。
【先行技術文献】
【特許文献】
【０００８】
【特許文献１】特開平６−３０６９７６号公報
【考案の概要】
【考案が解決しようとする課題】
【０００９】
しかしながら、このような従来の床スリーブユニットにあっては、コンクリート床面に開口した複数の床スリーブ開口部に、図１５に示した配管固定部１０８を、溶接装置を使用した現場作業により組み付けて配管を支持固定しており、アーク溶接装置の場合は電源の確保が必要であり、またガス溶接装置の場合にはガスボンベの搬入を必要とし、スペース的に制約のある場所での作業となり、そのために手間と時間がかかるという問題がある。
【００１０】
本考案は、作業現場での配管の支持固定作業を簡単且つ容易にする床スリーブユニットを提供することを目的とする。
【課題を解決するための手段】
【００１１】
本考案は、デッキプレートに形成した複数のスリーブ配置穴に床スリーブを起立状態で固定した床スリーブユニットに於いて、
複数の床スリーブの各々は、
配管を挿通する円筒状のスリーブ本体と、
スリーブ本体の上部に一体に設けられ、スリーブ本体を高さ方向に挿通する配管を支持固定する配管固定機構と、
を設けたことを特徴とする。
【００１２】
ここで、床スリーブの配管固定機構は、
スリーブ本体の上部円筒端の外側に片持ち状態で固定され、一対のボルト通し穴を形成した取付台と、
取付台に着脱自在に取付固定され、高さ方向に位置して配管を支持する配管支持片と横方向に位置して取付台に載せる載置片を備え、配管支持片及び載置片の各々に一対のボルト通し穴を形成した断面Ｌ字形の配管固定部材と、
配管固定部材における配管支持片のボルト通し穴にＵ字端部のネジ部を挿通し、当該ネジ部に対するナットの螺合により配管を配管固定部材に締め付け固定するＵボルトと、
を備える。
【００１３】
また、配管固定部材における載置片のボルト通し穴及び取付台のボルト通し穴を、それぞれスリーブ本体に向う方向に長い長穴とし、配管固定部材の長穴と取付台の長穴を位置合せして挿通したボルトにナットを螺合し、スリーブ本体を挿通する配管の中心軸線をスリーブ本体の中心軸線に略一致するように、長穴の範囲で配管固定部材を位置調整する構造とする。
【考案の効果】
【００１４】
本考案の床スリーブユニットによれば、デッキプレートに形成した複数のスリーブ配置穴に起立状態で固定した複数のスリーブ本体の上部に、スリーブ本体を高さ方向に挿通する配管を支持固定する配管固定機構を一体に設けるようにしたため、コンクリートを打設して床を構築した後に、床スリーブスリーブユニットに設けた複数の床スリーブの開口部に配管固定部を設置する現場作業が不要となり、溶接装置を必要とすることなく、床スリーブのスリーブ本体を高さ方向に挿通する配管を、スリーブ本体の上部に一体に設けた配管固定機構により支持固定することができ、工事作業の効率を大幅に高めることができる。
【００１５】
また、床スリーブのスリーブ本体上部に一体に設けた配管固定機構は、取付台、配管固定部材及びＵボルトで構成し、固定台はスリーブ本体の上部円筒端の外側に片持ち状態で固定されて一対のボルト通し穴を形成し、配管固定部材は取付台に着脱自在に取付固定され、高さ方向に位置して配管を支持する配管支持片と横方向に位置して取付台に載せる載置片を備え、配管支持片及び載置片の各々に一対のボルト通し穴を形成した断面Ｌ字形の部材であり、更に、Ｕボルトは配管固定部材における配管支持片のボルト通し穴にＵ字端部のネジ部を挿通し、当該ネジ部に対するナットの螺合により配管を配管固定部材に締め付け固定することで、スリーブ本体を高さ方向に挿通する配管を、簡単且つ容易に支持固定することを可能とする。
【００１６】
また、配管固定部材おける載置片のボルト通し穴及び取付台のボルト通し穴を、それぞれスリーブ本体に向う方向に長い長穴とし、配管固定部材の長穴と取付台の長穴を位置合せして挿通したボルトにナットを螺合し、スリーブ本体を挿通する配管の中心軸線をスリーブ本体の中心軸線に略一致するように、長穴の範囲で配管固定部材を位置調整する構造としたことで、スリーブ本体を挿通する配管を支持固定した場合に、スリーブ本体と配管の間に均一な隙間を確保することができ、隙間に対する不燃材やシール材の充填をより適切に行うことを可能とする。
【図面の簡単な説明】
【００１７】
【図１】本考案による床スリーブユニットの実施形態を示した説明図
【図２】図１の床スリーブを取り出して示した説明図
【図３】図２の床スリーブを平面で示した説明図
【図４】図２の床スリーブに設けた配管固定機構の取付台と配管固定部材を分離して示した説明図
【図５】配管固定機構を断面と組立分解して示した説明図
【図６】配管固定機構の配管固定部材を外した床スリーブを示した説明図
【図７】床工事における床スリーブユニットの組付け配置を示した説明図
【図８】床スリーブユニットを組付け配置する際に行う配管固定部材の位置調整を平面で示した説明図
【図９】コンクリート打設により埋め込まれた床スリーブユニットを示した説明図
【図１０】床スリーブユニットの各床スリーブに一体に設けた配管固定機構による配管の支持固定を示した説明図
【図１１】従来の床スリーブユニットを示した説明図
【図１２】床工事における従来の床スリーブの組付け配置を示した説明図
【図１３】コンクリート打設により埋め込まれた従来の床スリーブを示した説明図
【図１４】現場作業による床スリーブを挿通した配管の支持固定を示した説明図
【図１５】図１４の従来の配管固定部を拡大して示した説明図
【考案を実施するための形態】
【００１８】
［床スリーブユニットの構成］
図１は本考案による床スリーブユニットの実施形態を示した説明図、図２は床スリーブユニットに設けた床スリーブを取り出して示した説明図、図３は図２の床スリーブを平面で示した説明図、図４は図３の床スリーブに設けた配管固定機構の取付台と配管固定部材を分離して示した説明図、図５は配管固定機構を断面と組立分解して示した説明図、図６は配管固定機構の配管固定部材を外した床スリーブを示した説明図である。
【００１９】
（床スリーブユニットの概要）
図１に示すように、本実施形態の床スリーブユニット１は、デッキプレート１１と複数の床スリーブ１０で構成する。デッキプレート１１は、設置対象とする建物の水周りの配管設置位置に対応した所定の矩形サイズをもつ鋼板であり、所定の配管設置位置となる複数個所、例えば本実施形態では３箇所にスリーブ配置穴１１ａを穴開け加工して形成し、また周囲に仮枠に釘などで固定する場合に使用する通し穴１１ｂを形成している。
【００２０】
デッキプレート１１に形成したスリーブ配置穴１１ａの上には床スリーブ１０を起立した状態で溶接などにより固定している。本実施形態の床スリーブ１０は、配管を挿通する円筒状のスリーブ本体１２と、スリーブ本体１２の上部に一体に設けられ、スリーブ本体１２を高さ方向に挿通する配管を支持固定する配管固定機構１５で構成している。配管固定機構１５は、取付台１６、配管固定部材１８及びＵボルト２０で構成する。
【００２１】
（床スリーブの構成）
図２乃至図６に示すように、床スリーブ１０は、スリーブ本体１２と、その上部に一体に設けた配管固定機構１５を備える。
【００２２】
スリーブ本体１２は例えばステンレス板を円筒形に加工して継ぎ目を溶接固定した管体であり、例えば肉厚は１．２ｍｍ、外形は１００ｍｍ、高さは３００ｍｍであり、外形及び高さについては、様々な寸法を準備している。
【００２３】
本体スリーブ１２の上部に一体に設けた配管固定機構１５は、取付台１６、配管固定部材１８及びＵボルト２０を備える。取付台１６は、図４（Ａ）に示すように、所定の肉厚をもつ矩形の鋼板の一端を半円状に刳り貫き、この刳り貫き部分をスリーブ本体１２の上端開口面に面一となるように配置して裏側の溶接部１７により片持ち状態で固着しており、外側の2箇所には、配管固定部材１８を固定するためのボルト４０を通すボルト通し穴２２を形成している。
【００２４】
配管固定部材１８は断面Ｌ字形のアングル材を使用しており、図４（Ｂ）に示すように、高さ方向に位置して配管を支持する配管支持片２４と横方向に位置して取付台１６に載せる載置片２６を備え、配管支持片２４にＵボルト２０のボルト部を通す一対のボルト通し穴３４（図５（Ａ）及び図６参照）を形成すると共に、載置片２６に取付台１２の固定に使用するボルト４０を通す一対のボルト通し穴２８を形成している。また配管支持片２４に設けたボルト通し穴３４は、図６に示すように、横方向に長い長穴としており、ボルト通し穴３４に嵌め入れたＵボルト２０を長穴の範囲で横方向に調整自在としている。
【００２５】
Ｕボルト２０は、配管固定部材１８における配管支持片２４のボルト通し穴２８にＵ字端部のネジ部３０を挿通し、当該ネジ部３０に対するナット３２の螺合により配管を配管固定部材１８に締め付け固定可能としている。
【００２６】
また、配管固定部材１８おける載置片２６のボルト通し穴２８と取付台１６のボルト通し穴２８を、それぞれスリーブ本体１２に向う方向に長い長穴としており、配管固定部材１８のボルト通し穴２２と取付台１６のボルト通し穴２８を位置合せし、ワッシャ４２を介して挿通したボルト４０にナット４４を螺合した状態で、スリーブ本体１２を挿通する配管の中心をスリーブ本体の中心に略一致するように、長穴の範囲で取付台１６に対し配管固定部材１８を位置調整可能としている。
【００２７】
［床スリーブユニットを用いた床工事］
図７は床工事における床スリーブユニットの組付け配置を示した説明図である。図７に示すように、床工事に際しては、図示しない建物の鉄骨構造物に対し床面下部（下の階の天上裏面）に仮枠４５を構築し、仮枠４５における水回りとなる所定位置に本考案の床スリーブユニット１を配置し、デッキプレート１１の周囲に形成した通し穴に釘打ちして仮止めする。続いて鉄筋４６を配筋し、床スリーブユニット１に固定している床スリーブ１０に当接している鉄筋４６に対し針金などの結束線を使用して固定する。
【００２８】
ここで、床スリーブ１０の上部に一体に設けている配管固定機構１５については、スリーブ本体１２に通す配管５０の外径が予め決まっていることから、図８に示すように、平面から見て、Ｕボルト２０により配管固定部材１８に配管５０を支持固定した状態で、スリーブ本体１２の中心軸線に配管５０の中心軸線が一致するように、取付台１６に対し配管固定部材１８を位置調整し、ボルト４０とナット４２により配管固定部材１８を取付台１６に締め付け固定しておくようにする。これは床スリーブユニット１をコンクリート打設により床に埋設した状態では、配管固定部材１８の位置調整ができないことから、コンクリート打設前の段階で位置決め調整して固定しておくようにする。
【００２９】
一方、Ｕボルト２０については、ナット３８を螺合して脱落しないようにしておけばよい。なお、Ｕボルト２０は配管固定を行うまでは使用しないことから、床スリーブ１０から外しておき、配管固定作業の際に取り付けるようにしても良い。
【００３０】
図９はコンクリート打設により埋め込まれた床スリーブユニットを示した説明図である。図９に示すように、コンクリート打設によりコンクリート床４８が構築されると、予め配置している床スリーブユニット１に設けた複数の床スリーブ１０のスリーブ本体１２がコンクリート床４８に埋設され、スリーブ本体１２の上部に一体に設けた配管固定機構１５はコンクリート床面のスリーブ開口の外側に位置している。
【００３１】
図１０は床スリーブユニットの床スリーブに一体に設けた配管固定機構による配管の支持固定を示した説明図である。図１０に示すように、床スリーブユニット１に設けた複数の床スリーブ１０のスリーブ本体１２に対し配管５０を通して固定支持する場合、Ｕボルト２０のナット３８を緩めて広げておき、Ｕボルト２０及びスリーブ本体１２を通して配管５０を配置し、配管５０の位置決め等が済んだ場合、Ｕボルト２０のネジ部３６にナット３８を螺合し、Ｕボルト２０により配管５０を配管固定部材１８に締め付け固定する。
【００３２】
この場合、配管固定部材１８は配管５０の当接位置で、配管５０の中心軸線がスリーブ本体１２の中心軸線に略一致するように、図８に示したコンクリート打設前の段階で位置調整して固定しており、このためＵボルト２０による配管固定部材１８に対する締め付け固定で、配管５０の中心軸線がスリーブ本体１２の中心軸線に略一致するように支持固定され、スリーブ本体１２と配管５０との間に均一な隙間が形成される。
【００３３】
続いて、スリーブ本体１２と配管５０との間の隙間に、不燃材やシール材を圧入して隙間を塞ぐ。
【００３４】
このようにコンクリートを打設して床を構築した後に、床スリーブユニット１に設けた複数の床スリーブ１０の開口部に配管固定部を設置する現場作業が不要となり、溶接装置を必要とすることなく、作業現場において床スリーブユニット１に設けた複数の床スリーブ１０のスリーブ本体を高さ方向に挿通する配管を、スリーブ本体の上部に一体に設けた配管固定機構１５により支持固定することができ、工事作業の効率を大幅に高めることができる。
【００３５】
なお、上記の実施形態は、床スリーブユニット１に３本の床スリーブを設けた場合を例にとるものであったが、必要に応じて任意の数の床スリーブを設けても良い。また、床スリーブユニットに設ける床スリーブは、挿通する配管の外径に対応して異なった内径サイズをもつ複数種類の床スリーブを設けても良い。
【００３６】
また、本考案は上記の実施形態に限定されず、その目的と利点を損なうことのない適宜の変形を含み、更に上記の実施形態に示した数値による限定は受けない。
【符号の説明】
【００３７】
１：床スリーブユニット
１０：床スリーブ
１１：デッキプレート
１１ａ：スリーブ配置穴
１１ｂ：通し穴
１２：スリーブ本体
１５：配管固定機構
１６：取付台
１８：配管固定部材
２０：Ｕボルト
２２，２８，３４：ボルト通し穴
２４：配管支持片
２６：載置片
３０：ボルト部
３２，４４：ナット
４０：ボルト
４５：仮枠
４６：鉄筋
４８：コンクリート床
５０：配管
【図１】
0003186346.tif 000003
【図２】
0003186346.tif 000004
【図３】
0003186346.tif 000005
【図４】
0003186346.tif 000006
【図５】
0003186346.tif 000007
【図６】
0003186346.tif 000008
【図７】
0003186346.tif 000009
【図８】
0003186346.tif 000010
【図９】
0003186346.tif 000011
【図１０】
0003186346.tif 000012
【図１１】
0003186346.tif 000013
【図１２】
0003186346.tif 000014
【図１３】
0003186346.tif 000015
【図１４】
0003186346.tif 000016
【図１５】
0003186346.tif 000017